(57)【特許請求の範囲】
【請求項１】
洗剤入り洗浄を行う便器において、便器の前面視で右側の側面部の上部に洗剤タンクを配設し、該洗剤タンクに設けた洗剤補給口部を上側に行くほど便器から外側方に離れるように傾斜させ、ホルダにタンクカバーを着脱自在に取付けて、ホルダ及び洗剤タンクの便器の側面部から突出した部分を覆って成ることを特徴とする洗剤タンクを取付けた便器。
【請求項２】
便器の側面部にホルダを取付け、該ホルダに洗剤タンクを嵌め込んで支持し、ホルダの前側の側片よりも洗剤タンクの上部を上方に突出させ、少なくとも洗剤タンクの前側面のホルダの前側の側片よりも上方に突出した部分に洗剤タンク内の洗剤を透視できる透視部を設けて成ることを特徴とする請求項１記載の洗剤タンクを取付けた便器。
【発明の詳細な説明】
【技術分野】
【０００１】
本発明は、洗剤タンクを取付けた便器に関するものである。
【背景技術】
【０００２】
従来から、泡発生液を泡立てて便器のボウルに供給することで便器を洗浄するようにしたものが特許文献１により知られている。
【０００３】
この従来例にあっては、便器に取付ける温水洗浄便座装置のタンクに泡発生液を溜め、この泡発生液を用いて泡を発生させてボウルに供給するようにしている。
【０００４】
上記温水洗浄便座装置は便器の上部に取付けられ、泡発生液を溜めるタンク全体がトイレルームの左側の壁と便器の左側面部との間に配置してある。
【０００５】
このように、タンクを前面視で便器の左側に位置させるものにおいては、泡発生液の補給を行う際、前面視で便器の左側に位置するタンクに泡発生液を補充する必要がある。
【０００６】
ところが、トイレルーム内は狭いので、トイレルーム内の左右の壁と便器の左右の側面部との間の空間は狭く、上記のようにトイレルーム内の左の壁と便器の左の側面部との間に位置するタンクに泡発生液を補給するには、トイレルームの左側の壁と便器の左の側面部との間に、人が半身の姿勢で入り込み、泡発生液を入れた容器を片手に持って該容器からタンク内に泡発生液を補充する作業をしなければならない。
【０００７】
ここで、半身になった人が、トイレルームの左側の壁に顔を向けるような半身の姿勢で上記作業を行おうとすると、顔が壁に圧迫されるため上記泡発生液を補給する作業が極めてし難い。また、タンクはトイレルームの左側の壁と便器の左の側面部との間に配置してあるが、便器側に偏って位置しているため、上記のようにトイレルームの左側の壁に顔を向けるような半身の姿勢で上記補給作業を行うには泡発生液を入れた容器を右手に持って、該右手後ろ側に向けて補給作業を行わなければならず、作業がいっそうし難いと言う問題がある。
【０００８】
また、左側の壁に背を向けるような半身の姿勢で左側の壁と便器の左の側面部との間に入って、上記補給作業を行うことも考えられるが、この場合、顔は左側の壁と反対側に位置しているので便器の上方に位置させることができて、圧迫感がないが、泡発生液を入れた容器を右手で持ってタンクに補給しようとすれば、上半身をねじるようにしなければならず、作業がし難いという問題がある。上半身をねじるようにしないためには左手で容器を持ってタンクに補給することが考えられるが、右利きの人が多いため、左手での作業はし難いという問題がある。
【０００９】
また、従来例はタンクの前面の上下方向の中央部に透光窓を設けて、タンク内の泡発生液の残量がわかるようにしてあるが、タンク内に泡発生液を補給する際に、タンクの前面の上下方向の中央部に設けた透光窓を越えて上方まで泡発生液を補給するため、この透光窓を見ても適量まで補給されたか否かは判らず、入れすぎて溢れるという恐れがある。
【特許文献１】特開２００５−２１３７７１号公報
【発明の開示】
【発明が解決しようとする課題】
【００１０】
本発明は上記の従来の問題点に鑑みて発明したものであって、圧迫感なく、楽な姿勢で簡単に洗剤タンクに洗剤の補給ができ、また、洗剤タンクに適量の洗剤の補給ができ、また、洗剤タンクに外力が作用して洗剤タンクと配管等との接続部分から液漏れが発生するのを防止できる洗剤タンクを取付けた便器を提供することを課題とするものである。
【課題を解決するための手段】
【００１１】
本発明は、洗剤入り洗浄を行う便器１において、便器１の前面視で右側の側面部１ａの上部に洗剤タンク２を配設したものである。そして、本発明は、洗剤タンク２に設けた洗剤補給口部３を上側に行くほど便器１から外側方に離れるように傾斜させ、ホルダ４にタンクカバー８を着脱自在に取付けて、ホルダ４及び洗剤タンク２の便器１の側面部１ａから突出した部分を覆って成ることを特徴とするものである。
【００１２】
このような構成とすることで、トイレルームの右の壁６０と便器１の右の側面部１ａとの間の空間６１に顔が右の壁６０と反対側となるような半身の姿勢で入り、右手に洗剤を入れた容器６２を持って、該容器６２から洗剤タンク２内に洗剤を補給する作業をすることができる。これにより顔が右側の壁６０で圧迫されず、右手を使って容易に補給作業ができる。また、洗剤補給口部３を上側に行くほど便器１から外側方に離れるように傾斜させてあるので、洗剤補給口部３の上端部を便器１の右の側面部１ａから少し離すことができて、便器１の右の側面部１ａに邪魔されることなく補給作業ができる。また、洗剤タンク２に外力が作用するのを防止でき、洗剤タンク２と配管等との接続部分に外力が作用してこの部分から液漏れが発生しない。
【００１３】
また、便器１の側面部にホルダ４を取付け、該ホルダ４に洗剤タンク２を嵌め込んで支持し、ホルダ４の前側の側片よりも洗剤タンク２の上部を上方に突出させ、少なくとも洗剤タンク２の前側面のホルダ４の前側の側片５よりも上方に突出した部分６に洗剤タンク２内の洗剤を透視できる透視部７を設けることが好ましい。
【００１４】
このような構成とすることで、洗剤タンク２を便器１に取付けたホルダ４で保持することができて洗剤タンク２の便器１への取付けが簡略化でき、また、ホルダ４の前側の側片５よりも上方に突出した部分６の透視部７が前方から見え、洗剤タンク２に洗剤を補給作業中に、透視部７で見えるレベルまで洗剤が補給されたかどうかを前方から目視して洗剤を適量補給することが可能となる。
【００１５】
また、ホルダ４にタンクカバー８を着脱自在に取付けて、ホルダ４及び洗剤タンク２の便器１の側面部から突出した部分を覆うことが好ましい。
【００１６】
このような構成とすることで、洗剤タンク２に外力が作用するのを防止でき、洗剤タンクと配管等との接続部分に外力が作用してこの部分から液漏れが発生しない。
【発明の効果】
【００１７】
本発明の請求項１記載の発明は、上記のように、便器の前面視で右側の側面部の上部に洗剤タンクを配設したので、トイレルームの壁と便器との間の狭い空間に入っての洗剤タンクへの洗剤の補給作業が楽な姿勢で簡単に行える。また、洗剤タンクに設けた洗剤補給口部を上側に行くほど便器から外側方に離れるように傾斜させてあるので、洗剤補給口部の上端部を便器の右の側面部から少し離すことができて、便器の右の側面部に邪魔されることなく補給作業が容易にでき、またホルダにタンクカバーを着脱自在に取付けて、ホルダ及び洗剤タンクの便器の側面部から突出した部分を覆うので、洗剤タンクに外力が作用しないようにでき、洗剤タンクと配管等との接続部分に外力が作用してこの部分から液漏れが発生するのを防止できる。
【００１８】
また、請求項２記載の発明にあっては、上記のように、便器の側面部に取付けたホルダに洗剤タンクを嵌め込んで支持するので、洗剤タンクの便器への取付けが簡略化できる。また、ホルダの前側の側片よりも洗剤タンクの上部を上方に突出させ、少なくとも洗剤タンクの前側面のホルダの前側の側片よりも上方に突出した部分に洗剤タンク内の洗剤を透視できる透視部を設けているので、洗剤タンクに適量の洗剤の補給ができて、洗剤の補給量が少なすぎたり、多すぎて溢れたりするのを防止することができる。
【発明を実施するための最良の形態】
【００２０】
以下、本発明を添付図面に示す実施形態に基いて説明する。
【００２１】
本発明の便器１は洗剤入り洗浄水をボウル部９に流すようにしたものである。
【００２２】
便器１は図３に示すように、ボウル部９と、外郭１０と、トラップ部１１と、洗浄水吐水装置１２と、洗剤供給手段１３と、温水洗浄装置のような便器付属品を備えたものである。
【００２３】
トラップ部１１はボウル部９の後部に配設してあり、実施形態においては、トラップ部１１は、トラップケース１１ａ内に配置し一端部をボウル部９の後端部の排水部に接続したフレキシブルなトラップ筒１１ｂにより構成したターントラップ方式のもので、モータ（図示せず）によりトラップ筒１１ｂを回動してトラップ筒１１ｂが上向きＵ字状となったトラップ構造となる状態と、略逆Ｌ字状となってトラップ構造が解除されて排水される状態とを選択できるようになっている。また、トラップケース１１ａの下端部は排水口となっていて、便器１を設置する床面に設けた排出筒（図示せず）に連通接続される。
【００２４】
そして、通常は図３に示すように、トラップ筒１１ｂが上向きＵ字状となったトラップ構造となっていてボウル部９内の下部、トラップ筒内に洗浄水が溜まる構造となっていて、この状態で大便や小便を行い、大便や小便が終わると、ボウル部９内に洗浄水を流すと共に、トラップ筒を回動してトラップ構造状態を解除することで汚物と共に洗浄水を排水するようになっている。
【００２５】
洗浄水吐水装置１２はボウル部９に洗浄水を供給するためのもので、図３の実施形態においては、タンクレス方式の例が示してある。すなわち、上水道からボウル部９に至る洗浄水流路１５を有し、洗浄水流路１５に設けた洗浄水開閉弁１６の開により、洗浄水流路１５の下流側の端部からボウル部９に洗浄水を吐出し、閉により洗浄水の吐出を停止するようになっている。
【００２６】
もちろん、ロータンクの貯留水を開閉弁を介して流すようにした方式のものであってもよい。また、タンクレス方式の場合、圧送ポンプにより洗浄水を供給するようにしたものであってもよい。
【００２７】
洗浄水流路１５の下流側の端部の洗浄水吐出口３４はボウル部９の後部の一側端部からボウル部９の内側面の上部に沿って前方に向けて吐出されて、ボウル部９内を旋回流となって流れる。
【００２８】
洗浄水吐水装置１２には洗浄水に空気を混入してこの空気を微細化して微細気泡を生成して微細気泡を洗浄水に含ませる微細気泡発生手段１７が設けてある。微細気泡を含ませた洗浄水は、嵩比重の低下による節水効果、洗浄水がボウル部９内面に衝突する際の摩擦低減による消音化や水跳ね防止効果があるのは勿論、旋回流となって微細気泡がボウル部９内壁に衝突して破裂する際に発生する衝撃波や気泡界面が有する吸着特性などによってボウル部９内壁に付着する汚物を強力に剥がして吸着できる気泡洗浄効果がある。
【００２９】
図４に示すように、微細気泡発生手段１７は、洗浄水流路１５に空気混入部１８を設けると共にこの下流にベンチュリー管状の圧力急変部１９を設けて成る管部２０により構成してある。空気混入部１８は、洗浄水流路１５の径を絞ったノズル部２１の下流側の周辺に逆止弁２２を有する空気供給管２３を接続することで構成してあり、ノズル部２１から洗浄水を噴出することで生じる負圧によって空気を吸入して洗浄水内に混入するようになっている。
【００３０】
圧力急変部１９は、上流側から順に、径を絞る縮径部２４、絞られた径の咽喉部２５、径を拡げる拡径部２６が連設された構造となっており、上記空気混入部１８で混入した空気は、洗浄水が圧力急変部１９を流れる際に、まず、縮径部２４及び咽喉部２５での内圧低下により膨張され、続けて拡径部２６での内圧上昇によりせん断力や衝撃波が作用されて破砕され微細化される。なお、微細気泡発生手段１７としては混入空気を洗浄水内に溶解させた後に析出させるタイプを用いることができる。
【００３１】
洗剤供給手段１３は、図３、図４に示すように、洗剤タンク２と、洗剤タンク２と洗浄水流路１５に設けた洗剤混合部２７とを接続する洗剤供給路２８と、洗剤供給路２８に設けた洗剤用ポンプ２９と、洗剤用開閉弁３０とで構成してある。
【００３２】
洗剤供給路２８は往路部４０の始端部４０ａと復路部４１の終端部４１ａとが洗剤タンク２内に位置する循環経路部３１と、循環経路部３１の途中から分岐して洗浄水流路１５の洗剤混合部２７に至る供給経路部３２とを有している。洗剤用ポンプ２９は循環経路部３１に設けられ、洗剤用開閉弁３０は供給経路部３２の下流側に設けられる。
【００３３】
洗剤用ポンプ２９を駆動すると、洗剤タンク２内に貯留された液体の洗剤が循環経路部３１を循環するので、洗剤が洗剤供給路２８内で固化等して詰まるのが防止されるようになっている。
【００３４】
洗剤混合部２７は、洗浄水流路１５の流路径を絞って流れる洗浄水に負圧を発生させる部位となっており、添付図面に示す実施形態では咽喉部２５が洗剤混合部２７となっている。
【００３５】
洗剤用開閉弁３０は、洗剤混合部２７で洗浄水の負圧がかかると共に洗剤用ポンプ２９が駆動してポンプ圧がかかった場合に開くようになっていて、一定の洗剤が洗浄水内に混入されるようになっている。
【００３６】
洗剤が混合された気泡入り洗浄水は洗浄水流路１５の下流側端部の洗浄水吐出口３４からボウル部９内に吐出されて旋回流となってボウル部９内の内面に隈なく行きわたり、混入された洗剤により洗剤洗浄効果をボウル部９の内面に隈なく発揮させて効果的な洗浄を可能としている。また、洗剤（界面活性剤）が混入されることで水の表面張力が低下し、微細気泡発生手段１７で発生する微細気泡の径をｍｍオーダからμｍオーダにまで小さくできる効果も有する。μｍオーダの微細気泡はｍｍオーダの微細気泡に比べて格段に割れ難い性質を有しており、ボウル部９の洗浄後にボウル部９内に洗浄水が溜め水として残る時微細気泡が長期にわたって残留できて、溜め水の喫水線付近の汚れ付着防止効果を図ることができるようになっている。
【００３７】
次に洗剤タンク２の取付けにつき説明する。
【００３８】
本発明においては洗剤タンク２が便器１の外郭１０の前面視で右側の側面部１ａの上部に取付けてある。
【００３９】
図１に示す実施形態では、トラップ部１１のトラップケース１１ａの前面視で（図１の矢印Ａ方向から見て）右側面の上端部にホルダ４を取付け、該ホルダ４に洗剤タンク２が保持してある。
【００４０】
ホルダ４は、図５に示すように、前面視で右側方に開口しており、前面視で左側面部に開口４６が形成してあると共に回動自在なロック部材３５が取付けてあり、上面部に設けたガイド部３６を、トラップケース１１ａ又は温水洗浄装置のような便器付属品を装着するベース部材に設けた被ガイド部３７をガイドとして差込み、トラップケース１１ａの右側面や上記ベース部材の右側面部に設けた非円形状をしたロック用孔３８にロック部材３５の先端に設けた非円形状をしたロック部３９を嵌め込み、ロック部材３５を回動することで、ロック部３９をロック用孔３８の裏面側の縁部に係止してロックすることで取付けてあり、このようにホルダ４を取付けた状態で図６に示すようにホルダ４の上記開口４６に，循環経路部３１の往路部４０の始端接続部４０ｂと復路部４１の終端接続部４１ｂとが臨んでいる。
【００４１】
洗剤タンク２の上面部には洗剤補給口部３とキャップ取付け用開口部４４とが設けてあり、キャップ取付け用開口部４４にはキャップ４５が着脱自在に取付けてある。
【００４２】
キャップ４５には、始端部４０ａとなる逆Ｌ状をした始端管４２と、終端部４１ａとなる逆Ｌ状をした終端管４３とが装着してあり、キャップ４５をキャップ取付け用開口部４４に取付けることで、逆Ｌ状をした始端管４２の縦管部、逆Ｌ状をした終端管４３の縦管部がそれぞれキャップ取付け用開口部４４から洗剤タンク２内に差し込まれると共に、逆Ｌ状をした始端管４２の横管部４２ａ、終端管４３の横管部４３ａがそれぞれ洗剤タンク２の上面部から前面視で左側方に向けて突出する。
【００４３】
洗剤タンク２はホルダ４の右側方の開口部から嵌め込んでホルダ４に支持させると共に横管部４２ａ、４３ａをそれぞれ始端接続部４０ｂ、終端接続部４１ｂに接続することで取付けるようになっている。便器１の後部側面には便器１の右側の側面部１ａの後部を構成する側カバー４８を着脱自在に取付けようになっており、この場合、右の側カバー４８の上部には開口部４９が設けてあり、上記ホルダ４のほぼ右側の部位及び洗剤タンク２の全体又は右側の部位が上記側カバー４８の開口部４９から右外側方に突出するように構成してある。
【００４４】
洗剤タンク２の上面に設けた洗剤補給口部３は洗剤タンク２の上面から上方に筒状に突出していて側カバー４８から右外側方に突出した位置に位置しているが、更に、この筒状の洗剤補給口部３は上側に行くほど便器１から外側方に離れるように傾斜させてある（実施例では右外側方に向けて突出するだけでなく、上に行くほど前方にも突出しており、このため、上に行くほど右前側方に向けて突出するように傾斜させてある）。洗剤補給口部３には開閉自在に蓋４７が取付けてある。
【００４５】
図６に示すように、ホルダ４に洗剤タンク２を嵌め込んで支持した状態で、ホルダ４の前側の側片５よりも洗剤タンク２の上部を上方に突出させてある。
【００４６】
洗剤タンク２は少なくとも前側面のホルダ４の前側の側片５よりも上方に突出した部分６に洗剤タンク２内の洗剤を透視できる透視部７を設けてある。この透視部７には必要に応じて目盛りを設ける。したがって、後述のようにして洗剤補給用の容器６２を用いて洗剤補給口部３から洗剤タンク２内に洗剤を補給する際、前方から洗剤タンク２のホルダ４の前側の側片５よりも上方に突出した部分６を見ることで、洗剤タンク２内の上限位置まで洗剤が補給されたか否かが判るようにしている。
【００４７】
添付図面に示す実施形態ではホルダ４の前側の側片５の内側半分の上端部よりも外側半分の上端部が低くなるようにすることで、洗剤タンク２の前面上部を前側の側片５の外側半部の上端よりも上方に突出させている。
【００４８】
もちろん洗剤タンク２の全体が洗剤タンク２内の洗剤を透視できる透視部７となっていてもよい。
【００４９】
ホルダ４には図８に示すようにタンクカバー８を着脱自在に取付けるようになっており、タンクカバー８を取付けることで、タンクカバー８によりホルダ４及び洗剤タンク２の便器１の側面部１ａから突出した部分を覆って、洗剤タンク２に外力が作用するのを防止するようにしている。
【００５０】
タンクカバー８をホルダ４に着脱自在に取付けるには、タンクカバー８に設けた係合部５１をホルダ４に設けた被係合部５２に着脱自在に係合することで取付けるようになっている。
【００５１】
洗浄タンク２内に溜めた洗剤は便器１の使用により消費されるので、洗剤が少なくなると補給する必要がある。
【００５２】
洗剤の補給に当っては、タンクカバー８を取外し、洗剤タンク２を露出させ、蓋４７を外し、洗剤を入れた容器６２を手に持って洗剤補給口部３から洗剤タンク２内に洗剤を補給する。
【００５３】
ここで、本発明にあっては、便器１の前面視で右側の側面部１ａの上部に外側方に向けて突出するように洗剤タンク２が配置してあるので、図１のように洗剤タンク２がトイレルームの右の壁６０と便器１の右の側面部１ａとの間の狭い空間６１に存在することになる。したがって、このトイレルームの右の壁６０と便器１の右の側面部１ａとの間の空間６１に顔が右の壁６０と反対側となるような半身の姿勢で入り、右手に洗剤を入れた容器６２を持って、図２に示すように容器６２から洗剤タンク２内に洗剤を補給する作業をすることができる。
【００５４】
これにより顔が右側の壁６０で圧迫されず、右手を使って容易に補給作業ができることになる。
【００５５】
また、洗剤補給口部３が上側に行くほど便器１から外側方に離れるように傾斜させてあるので、洗剤補給口部３の上端部を便器１の右の側面部１ａから少し離すことができて、便器１の右の側面部１ａに邪魔されることなく補給作業ができることになる。
【００５６】
また、ホルダ４の前側の側片５よりも洗剤タンク２の上部を上方に突出させ、少なくとも洗剤タンク２の前側面のホルダ４の前側の側片５よりも上方に突出した部分６に洗剤タンク２内の洗剤を透視できる透視部７を設けてあるので、上記洗剤を入れた容器６２から洗剤補給口部３に洗剤を注入している時、透視部７で見えるレベルまで洗剤が補給されたかどうかを前方から目視して確認でき、洗剤の補給の上限が判り、洗剤の補給量が少なすぎたり、多すぎて溢れたりするのを防止し、洗剤を適量補給することが可能となる。
【図面の簡単な説明】
【００５７】
【図１】本発明の平面図である。
【図２】同上の洗剤の補給を示す斜視図である。
【図３】同上の便器の概略構成図である。
【図４】同上の洗浄水流路部分を示し、（ａ）は斜視図であり、（ｂ）は断面図である。
【図５】同上のホルダの取付け前の斜視図である。
【図６】同上のホルダに洗剤タンクを取付ける前の斜視図である。
【図７】同上のホルダに洗剤タンクを取付けた状態の斜視図である。
【図８】同上のホルダカバーを取付けた状態の斜視図である。
【符号の説明】
【００５８】
１  便器
１ａ  右側の側面部
２  洗剤タンク
３  洗剤補給口部
４  ホルダ
５  前側の側片
６  上方に突出した部分
７  透視部
８  タンクカバー
【図１】
0005113578.tif 000002
【図２】
0005113578.tif 000003
【図３】
0005113578.tif 000004
【図４】
0005113578.tif 000005
【図５】
0005113578.tif 000006
【図６】
0005113578.tif 000007
【図７】
0005113578.tif 000008
【図８】
0005113578.tif 000009